(57)【要約】【課題】最新の案内情報が提供できる情報案内板を提供する。【解決手段】インターネット１２上のサーバ装置１３を識別するＵＲＬおよび識別情報を記憶し、ＵＲＬおよび識別情報を読み取り手段を有する情報端末１４に送出する複数のＲＦＩＤタグ１５が分散して配置されるとともに、表面に識別情報に関連づけられた案内情報を象徴する複数のマーク１６が分散して付された情報案内板１０であって、読み取り手段を有する情報端末１４は、ＲＦＩＤタグのＵＲＬおよび識別情報を読み取り、ＵＲＬが示すインターネット１２上のサーバ装置１３に識別情報を送出し、サーバ装置１３は、予め識別情報に関連付けられた案内情報を記憶し、識別情報を受信した場合、識別情報に関連付けられた案内情報を読み取り手段を有する情報端末１４に送出する。【選択図】  図１
2011100243.tif 000002
【特許請求の範囲】
【請求項１】
インターネット上のサーバ装置を識別するＵＲＬおよび識別情報を記憶し、前記ＵＲＬおよび前記識別情報を読み取り手段を有する情報端末に送出する複数のＲＦＩＤタグが分散して配置されるとともに、表面に前記識別情報に関連づけられた案内情報を象徴する複数のマークが分散して付された情報案内板であって、
前記読み取り手段を有する情報端末は、前記ＲＦＩＤタグの前記ＵＲＬおよび前記識別情報を読み取り、前記ＵＲＬが示す前記インターネット上の前記サーバ装置に前記識別情報を送出し、
前記サーバ装置は、予め前記識別情報に関連付けられた前記案内情報を記憶し、前記識別情報を受信した場合、前記識別情報に関連付けられた前記案内情報を前記読み取り手段を有する情報端末に送出することを特徴とする情報案内板。
【請求項２】
前記ＲＦＩＤタグの数が、前記マークの数より大きいことを特徴とする請求項１に記載の情報案内板。
【請求項３】
前記複数のマークは、前記表面に付け替え可能に付されていることを特徴とする請求項１に記載の情報案内板。
【請求項４】
前記読み取り手段を有する情報端末が、前記複数のＲＦＩＤダグのうちの２以上の前記ＲＦＩＤタグの前記ＵＲＬおよび前記識別情報を読み取った場合、２以上の前記案内情報のうち、同一の前記案内情報毎にグルーピングし、一番大きいグループの前記案内情報を選択することを特徴とする請求項２に記載の情報案内板。
【請求項５】
前記一番大きいグループが２以上あった場合、前記識別情報を読み取ったときの信号の強度の和が一番大きい前記グループの前記案内情報選択することを特徴とする請求項４に記載の情報案内板。
【発明の詳細な説明】
【技術分野】
【０００１】
本発明は、情報案内板に関する。
【背景技術】
【０００２】
従来、地図が描かれた情報案内板には、地図上の所定位置の座標に関する情報を含む座標認識用情報が地図面に付されているものが知られている（例えば、特許文献１参照。）。
【０００３】
この地図では、座標認識用情報は、地図上の特定の施設や特定の経緯度の交点等に、視認可能な形態である図形（一次元または二次元バーコードなど）として印刷され、または視認困難な形態であるＲＦＩＤ（Radio Frequency Identification）タグとして埋め込まれている。
【０００４】
この座標認識用情報は、エリアセンサーを有する読取装置、またはタグリーダを備えた位置情報表示装置により読み取られる。この位置情報表示装置は、地図上を移動されながら使用され、座標認識用情報に基づいて地図上の座標を把握し、位置および向きを検出する。
【０００５】
然しながら、この情報案内板では、付されている座標認識用情報に含まれている情報を更新することができないという問題がある。その結果、情報が古くなった場合、古い情報に基づいてユーザが判断を誤る恐れがある。更に、価値が無いとして破棄されると、資源の浪費になるという問題がある。
【０００６】
そのため、最新の案内情報が提供できるとともに、繰り返し使用可能な情報案内板が求められていた。
【先行技術文献】
【特許文献】
【０００７】
【特許文献１】特開２００４−１１７９８６号公報
【発明の概要】
【発明が解決しようとする課題】
【０００８】
本発明は、最新の案内情報が提供できる情報案内板を提供する。
【課題を解決するための手段】
【０００９】
本発明の一態様の情報案内板は、インターネット上のサーバ装置を識別するＵＲＬおよび識別情報を記憶し、前記ＵＲＬおよび前記識別情報を読み取り手段を有する情報端末に送出する複数のＲＦＩＤタグが分散して配置されるとともに、表面に前記識別情報に関連づけられた案内情報を象徴する複数のマークが分散して付された情報案内板であって、前記読み取り手段を有する情報端末は、前記ＲＦＩＤタグの前記ＵＲＬおよび前記識別情報を読み取り、前記ＵＲＬが示す前記インターネット上の前記サーバ装置に前記識別情報を送出し、前記サーバ装置は、予め前記識別情報に関連付けられた前記案内情報を記憶し、前記識別情報を受信した場合、前記識別情報に関連付けられた前記案内情報を前記読み取り手段を有する情報端末に送出することを特徴としている。
【発明の効果】
【００１０】
本発明によれば、最新の案内情報が提供できる情報案内板が得られる。
【図面の簡単な説明】
【００１１】
【図１】本発明の実施例に係る情報案内板を示す図で、図1（ａ）はその表面から見た正面図、図１（ｂ）はその裏面から見た正面図。
【図２】本発明の実施例に係る情報端末の動作を説明するためのフローチャート。
【図３】本発明の実施例に係る情報端末に表示されるメニュー画面を示す図。
【図４】本発明の実施例に係る情報端末と複数のＲＦＩＤタグとの位置関係を示す図。
【図５】本発明の実施例に係る情報端末が複数のＲＦＩＤダグのＵＲＬおよび識別情報を読み取った場合の処理を示すフローチャート。
【図６】本発明の実施例に係る情報端末が複数のＲＦＩＤダグのＵＲＬおよび識別情報を読み取った場合の処理結果を説明するための図。
【図７】本発明の実施例に係る情報端末と複数のＲＦＩＤタグとの別の位置関係を示す図。
【発明を実施するための形態】
【００１２】
以下、本発明の実施例について図面を参照しながら説明する。
【実施例】
【００１３】
図１は本実施例に係る情報案内板を示す図で、図1（ａ）はその表面から見た正面図、図１（ｂ）はその裏面から見た正面図である。
【００１４】
図１に示すように、本実施例の情報案内板１０は、ボード１１の裏面にインターネット１２上のサーバ装置１３を識別するＵＲＬ（Uniform Resource Locator）および識別情報を記憶し、ＵＲＬおよび識別情報を読み取り手段を有する情報端末１４に送出する複数のＲＦＩＤタグ１５が分散して配置されている。ボード１１の表面には、自己の識別情報に関連付けられた案内情報を象徴する複数のマーク１６が分散して付されている。
【００１５】
ボード１１は、例えばプラスチック、合板などからなるボードで、壁掛けまたはスタンドに取り付けられて掲示できるように構成されている。
【００１６】
ＲＦＩＤタグ１５は、例えばパッシブダグであり、タグリーダから送信された電波を受信し、その電波をエネルギー源として動作する。即ち、ＲＦＩＤタグ１５のアンテナとダグリーダのアンテナとの間で電波をやりとりし、エネルギー、信号を伝達する。
【００１７】
ＧＨｚオーダの周波数の電波を使用した場合、ＲＦＩＤタグ１５とタグリーダとの通信可能距離は３〜５ｍ程度である。ＲＦＩＤタグ１５は、外界の影響を避けるために、例えば基板１１の裏面に埋め込まれ、または保護材で被覆されている。
【００１８】
マーク１６は、広告媒体で、例えば商品、店舗、施設、観光地、イベントなどを示すシンボルマークである。マーク１６は、ボード１１の表面に付け替え可能に、例えば粘着性テープなどで固定されている。
【００１９】
マーク１６のサイズ、形状はボード１１内に収まる範囲内であれば任意であり、ボード１１内の任意の領域に配置することができる。図では、一例として、１つのマーク１６のみが表示されている。
【００２０】
タグリーダを有する情報端末１４は、例えば移動体通信端末で、複数のマーク１６のうちから所定のマークが付された領域に配置されているＲＦＩＤタグ１５のＵＲＬおよび識別情報を読み取り、ＵＲＬが示すインターネット上のサーバ装置１３に識別情報を送信し、インターネット上のサーバ装置１３から返信された案内情報を受信する。
【００２１】
サーバ装置１３は、予め識別情報に関連付けられた案内情報を記憶している。サーバ装置１３は、情報端末１４からＲＦＩＤタグの識別情報を受信した場合、識別情報に関連付けられた案内情報を、タグリーダを有する情報端末１４に返信する。
【００２２】
ＲＦＩＤタグ１５の数は、マーク１６の数より多いので、マーク１６が付されている領域には、複数のＲＦＩＤタグが含まれている。
【００２３】
上記構成の情報案内板では、サーバ装置１３側で、識別情報に関連付けられた案内情報を常時アップデートしておくことにより、最新の案内情報が提供できるように構成されている。更に、ボード１１側で、マーク１６を別のマークに付け替え、サーバ装置１３側で、別のマークに応じて識別情報に関連付けられた案内情報をリニューアルすることにより、ボード１１が繰り返し使用可能になるように構成されている。
【００２４】
図２は情報案内板１１を媒介した情報の流れを示すフローチャートである。図２に示すように、情報端末１４は、特定のマーク１６が付された領域に近づけられ、読み取り指令を受けると、特定のマーク１６が付された領域に配置されているＲＦＩＤタグ１５のＵＲＬおよび識別情報を読みとる（ステップＳ１１）。
【００２５】
次に、情報端末１４は、読み取った識別情報をＵＲＬが示すインターネット１２上のサーバ装置１３に送信する（ステップＳ１２）。
【００２６】
次に、サーバ装置１３は、記憶している案内情報の中から送られてきた識別情報に関連付けられた案内情報に対応するメニュー画面情報を、インターネット１２を介して情報端末１４に返信する（ステップＳ１３）。
【００２７】
次に、情報端末１４は、サーバ装置１３から送られてきたメニュー画面情報を基に、メニューを情報端末１４の画面に表示する（ステップＳ１４）。
【００２８】
図３は、情報端末１４の画面に表示されるメニューを示す図である。図３に示すように、特定のマーク１６が、例えば施設である場合、その施設の周辺地図、その施設の設備や間取りなどを示す建物情報、その施設の周辺地域のお天気情報、その施設で開催されるイベント情報、その施設までの移動手段を含む距離情報などを表示することができる。
【００２９】
これにより、情報端末１４を所持しているユーザは、特定のマーク１６を選択し、インターネット１２上のサーバ装置１３にアクセスすることにより、いつでも最新の案内情報が得ることができる。
【００３０】
情報案内板１０を所有しているオーナーは、識別情報に関連付けられた案内情報を常時アップデートし、いつでも最新の案内情報をユーザに提供することができる。更に、マーク１６を別のマークに付け替えて、識別情報に関連付けられた案内情報をリニューアルすることにより、ボード１１を何度でも繰り返し使用することができる。
【００３１】
本実施例では、マーク１６のサイズおよび付される領域を任意とするために、ＲＦＩＤタグの数はマーク１６の数より多く設定されている。そのため、マーク１６が付されている領域には、複数のＲＦＩＤタグが配置されている。
【００３２】
一方、情報端末１４のタグリーダは、数十ｍｓ〜数百ｍｓで１つのＲＦＩＤタグのＵＲＬおよび識別情報を読み取ることができる。また、読み取り可能なエリア（検出範囲）内に複数のＲＦＩＤダグが配置されている場合、いずれのＲＦＩＤダグも読み取ることができる。
【００３３】
従って、タグリーダの検出範囲内に、隣接するマーク１６が付されている領域に配置されているＲＦＩＤタグが存在する場合、いずれかのＲＦＩＤタグを選択し、マーク１６を特定する必要がある。
【００３４】
図４は情報端末１４のタグリーダの検出範囲と、複数のＲＦＩＤタグとの位置関係を示す図である。図５は情報端末１４のタグリーダが複数のＲＦＩＤダグのＵＲＬおよび識別情報を読み取った場合の処理を示すフローチャート、図６は処理結果を説明するための図である。
【００３５】
図４に示すように、ボード１１上には、例えば間隔がＰの格子の交点にそれぞれＲＦＩＤダグが配置されており、マーク１６ａが付されている領域には、例えば９個のＲＦＩＤタグが含まれているとする。また、マーク１６ａが付されている領域に隣接する領域にはマーク１６ｂが付されているものとする。ここでは、マーク１６ａおよびマーク１６ｂの図柄は、図示していない。
【００３６】
タグリーダ３０の検出範囲３０ａ内に、４つのＲＦＩＤタグ３１、３２、３３、３４が配置されていたとする。４つのＲＦＩＤタグ３１、３２、３３、３４のうち、ＲＦＩＤタグ３１、３２、３３はマーク１６ａが付されている領域内に配置されており、ＲＦＩＤタグ３４はマーク１６ｂが付されている領域内に配置されている。
【００３７】
図５に示すように、情報端末１４は、検出範囲３０ａ内にある４つのＲＦＩＤタグ３１、３２、３３、３４のＵＲＬおよび識別情報を読み出す（ステップＳ２１）。
【００３８】
図６（ａ）は、ＲＦＩＤタグ３１、３２、３３、３４の識別情報を示している。識別情報は、例えば０００＿００１から００００＿０４までの番号であるとする。
【００３９】
次に、情報端末１４は、読み取った識別情報をＵＲＬが示すインターネット１２上のサーバ装置１３に送信する（ステップＳ２２）。
【００４０】
次に、サーバ装置１３は、予め記憶されているＲＦＩＤタグの識別情報をボード１１上のＲＦＩＤタグの座標に変換する座標変換テーブルを参照し、４つのＲＦＩＤタグ３１、３２、３３、３４が配置されているボード１１上の座標データを抽出する（ステップＳ２３）。
【００４１】
図６（ｂ）は、抽出されたＲＦＩＤタグ３１、３２、３３、３４の座標データを示している。例えば、ＲＦＩＤタグ３２の座標を（Ｘ，Ｙ）とすると、ＲＦＩＤタグ３１、３３、３４の座標はそれぞれ、（Ｘ，Ｙ＋Ｐ）、（Ｘ，Ｙ−Ｐ）、（Ｘ−Ｐ，Ｙ）となる。
【００４２】
次に、サーバ装置１３は、座標データから、ＲＦＩＤタグ３１、３２、３３、３４が配置されている領域に付されているマーク１６ａ、１６ｂに象徴される案内情報を求める。例えば、マーク１６ａに象徴される案内情報をＡ、マーク１６ｂに象徴される案内情報をＢとする（ステップＳ２４）。
【００４３】
図６（ｃ）は、ＲＦＩＤタグ３１、３２、３３、３４の案内情報を示している。ＲＦＩＤタグ３１、３２、３３は、同一の案内情報Ａを有し、ＲＦＩＤタグ３４は案内情報Ｂを有している。
【００４４】
次に、サーバ装置１３は、同一の案内情報毎にグルーピングし、グループ内の案内情報の数をカウントする。（ステップＳ２５）。
【００４５】
図６（ｄ）は、グルーピング結果を示している。グルーピングの結果、案内情報Ａのカウント値として３、案内情報Ｂのカウント値として１が得られる。
【００４６】
次に、サーバ装置１３は、グルーピング結果を基に、カウント値が一番大きいグループの案内情報を選択する。ここでは、グループＡの案内情報Ａが選択される（ステップＳ２６）。
【００４７】
次に、サーバ装置１３は、選択した案内情報Ａに応じたメニュー画面情報を情報端末１４に返信する（ステップＳ２７）。
【００４８】
情報端末１４は、サーバ装置１３から送られてきたメニュー画面情報を基に、図３に示すようなメニューを情報端末１４の画面に表示する。
【００４９】
これにより、情報端末１４のタグリーダ３０が複数のＲＦＩＤダグのＵＲＬおよび識別情報を読み取った場合、サーバ装置１３が複数のＲＦＩＤダグが対応する案内情報をグルーピングし、一番大きいグループの案内情報を選択し、即ち多数決方式で選択した案内情報に対応するメニュー画面情報を情報端末１４に返信することができる。
【００５０】
情報端末１４を所持しているユーザは、期待するマーク１６に関する案内情報を確実に入手することができ、高い利便性が得られる。
【００５１】
以上説明したように、本実施例の情報案内板１０では、サーバ装置１３側で、識別情報に関連付けられた案内情報を常時アップデートしておくことにより、最新の案内情報が提供できるとともに、ボード１１側で、マーク１６を別のマークに付け替え、サーバ装置１３側で、別のマークに応じて識別情報に関連付けられた案内情報をリニューアルすることにより、ボード１１を何度でも繰り返して使用することができる。従って、最新の案内情報が提供できる情報案内板が得られる。
【００５２】
ここでは、タグリーダ３０が複数のＲＦＩＤタグの情報を読み取った場合、サーバ装置１３が案内情報を選択する場合について説明したが、情報端末１４が選択するようにすることも可能である。
【００５３】
その場合、情報端末１４は予めサーバ装置１３から座標変換テーブルおよび、座標と案内情報の対応テーブルをダウンロードしておく。そして、タグリーダ３０が複数のＲＦＩＤタグの情報を読み取った場合、情報端末１４は、読み取った識別情報を基に、ダウンロードした座標変換テーブルを参照して、複数の案内情報を求め、同一の案内情報をグルーピング化し、一番大きいグループの案内情報を選択し、選択した案内情報のみを、サーバ装置１３に送信する。
【００５４】
また、一番大きいグループが２以上あった場合、識別情報を読み取ったときの信号の強度の和が一番大きいグループの案内情報を選択することができる。そのためには、情報端末１４は、タグリーダ３０がＲＦＩＤタグの情報を読み取るときに、ＲＦＩＤタグから受信した電波の強度を計測しておくことが必要である。
【００５５】
更に、信号の強度の和が一番大きいグループが２以上あった場合は、いずれもの案内情報を選択することもできる。または、予め案内情報に優先順位を定めておき、優先順位の高い情報案内を選択することもできる。
【００５６】
図７は情報端末１４のタグリーダ３０の検出範囲と、複数のＲＦＩＤタグとの別の位置関係を示す図である。図７において、タグリーダ３０の検出範囲が破線で示す検出範囲４０の場合、マーク１６ａが付された領域に配置されたＲＦＩＤ３２、３３と、マーク１６ｂが付された領域１６ｂに配置されたＲＦＩＤ３４、４１とが検出される。
【００５７】
この場合、グループＡ、グループＢのカウント値がいずれも２で等しくなる。そこで、グループＡのＲＦＩＤタグ３２、３３の識別情報を読み取ったときの信号の強度の和と、グループＢのＲＦＩＤタグ３４、４１の識別情報を読み取ったときの信号の強度の和とを求め、比較する。
【００５８】
ここでは、例えばタグリーダ３０との距離が近いグループＢのＲＦＩＤタグ３４、４１の識別情報を読み取ったときの信号の強度の和が、グループＡのＲＦＩＤタグ３２、３３の識別情報を読み取ったときの信号の強度の和より強い場合、グループＢの案内情報Ｂを選択する。
【００５９】
タグリーダ３０の検出範囲が一点鎖線で示す検出範囲５０の場合、マーク１６ａが付された領域に配置されたＲＦＩＤ３１と、マーク１６ｂが付された領域に配置されたＲＦＩＤ５１と、マーク１６ｃが付された領域に配置されたＲＦＩＤ５２と、マーク１６ｄが付された領域に配置されたＲＦＩＤ５３とが検出される。
【００６０】
この場合、グループＡ、グループＢ、グループＣおよびグループＤのカウント値がいずれも１で等しくなる。そこで、グループＡのＲＦＩＤタグ３１の識別情報を読み取ったときの信号の強度と、グループＢのＲＦＩＤタグ５１の識別情報を読み取ったときの信号の強度と、グループＣのＲＦＩＤタグ５２の識別情報を読み取ったときの信号の強度と、グループＤのＲＦＩＤタグ５３の識別情報を読み取ったときの信号の強度とを比較する。
【００６１】
ここでは、例えばタグリーダ３０と各グループＡ、Ｂ、Ｃ、Ｄとの距離は略等しく、信号強度の一番大きいグループが２以上有るとする。この場合は、案内情報を選択することができない。
【００６２】
そこで、予め案内情報Ａ、Ｂ、Ｃ、Ｄに優先順位を付けておき、優先順位の高い案内情報を選択することができる。
【００６３】
タグリーダ３０の検出範囲が二点鎖線で示す検出範囲６０の場合、マーク１６ａが付された領域に配置されたＲＦＩＤ３２、６１、６２、６３、６４が検出される。この場合は、グループＡ以外のグループが存在しないので、一義的に案内情報Ａが選択される。
【００６４】
本発明は、以下の付記に記載されているような構成が考えられる。
【００６５】
（付記１）前記信号の強度の和が一番大きい前記グループが２以上あった場合、いずれもの前記案内情報を選択する請求項５に記載の情報案内板。
【００６６】
（付記２）予め前記案内情報に優先順位を定めておき、前記信号の強度の和が一番大きい前記グループが２以上あった場合、優先順位の高い前記案内情報を選択する請求項５に記載の情報案内板。
【符号の説明】
【００６７】
１０  情報案内板
１１  ボード
１２  インターネット
１３  サーバ装置
１４  情報端末
１５、３１、３２、３３、３４、４１、５１、５２、５３、６１、６２、６３、６４  ＲＦＩＤタグ
１６、１６ａ、１６ｂ  マーク
３０  タグリーダ
３０ａ、４０、５０、６０  検出範囲
【図１】
2011100243.tif 000003
【図２】
2011100243.tif 000004
【図３】
2011100243.tif 000005
【図４】
2011100243.tif 000006
【図５】
2011100243.tif 000007
【図６】
2011100243.tif 000008
【図７】
2011100243.tif 000009